(57)【要約】【課題】  従来より防犯機能を向上させることが可能な錠装置を提供する。【解決手段】  本発明の錠装置１０では、デッドボルト１７が施錠位置にあるときに、係合ピン１２に係合した鎌部材６０の回動領域にラッチ回動規制部材７０が進入してその鎌部材６０の回動を規制するので、カム回動部材３０にてラッチ回動規制部材７０を回動しない限り、鎌部材６０と係合ピン１２との係合が解除されない。即ち、デッドボルト１７が解錠方向に押されても、鎌部材６０がデッドボルト１７に連動して作動することが防がれ、従来より防犯機能を向上させることができる。また、正規に解錠操作を行う場合には、デッドボルト１７と鎌部材６０の両方のロックを一度に解除することができ、容易に正規の解錠操作を行うことができる。【選択図】  図１
2005042513.tif 000002
【特許請求の範囲】
【請求項１】
ドアの端部に埋設されるボディに組み付けたデッドボルトが、前記ボディから突出して前記ドアをロックする施錠位置と、前記ボディに没入して前記ロックを解除する解錠位置との間でスライドする錠装置において、
前記デッドボルトに回転可能に設けられ、前記デッドボルトが前記施錠位置にあるときに前記デッドボルトの突入先に設けた被係合部材に係合する一方、前記デッドボルトが前記解錠位置のときに前記被係合部材との係合を解除する鎌部材と、
前記デッドボルトに回転可能に設けられ、前記デッドボルトが前記施錠位置にあるときに、前記鎌部材の回動領域に進入して前記鎌部材の回動を規制するラッチ回動規制部材と、
前記ラッチ回動規制部材が前記鎌部材の回動領域に進入するように付勢するラッチ付勢手段と、
操作により前記ラッチ回動規制部材を前記鎌部材の回動領域から退避させるように回動するためのラッチ解除操作部とを設けたことを特徴とする錠装置。
【請求項２】
前記デッドボルトの先端に開放し、そのデッドボルトの突入先の空間を横切った前記被係合部材を受容するスリットと、
前記鎌部材は、前記デッドボルトが前記施錠位置のときには前記スリットにおける前記被係合部材より開放口側に突入する一方、前記デッドボルトが前記解錠位置のときには、前記スリットにおける前記被係合部材より開放口側から退避するように構成されたことを特徴とする請求項１に記載の錠装置。
【請求項３】
前記ボディに回動可能に設けられ、前記施錠位置の前記デッドボルトに突き合わされて前記デッドボルトの前記ボディへの没入を規制すると共に、解錠操作により回動し、前記施錠位置の前記デッドボルトとの突き合わせが解除されかつ前記デッドボルトの一部に摺接して、前記デッドボルトを前記解錠位置に没入させるカム回動部材を備え、
前記ラッチ回動規制部材から前記カム回動部材の回動領域に向けて突出し、前記デッドボルトが前記解錠位置に移動する途中で前記カム回動部材に押されて、前記ラッチ回動規制部材を回動させる傾動レバーを備えたことにより、前記カム回動部材を前記ラッチ解除操作部に兼用したことを特徴とする請求項１又は２に記載の錠装置。
【請求項４】
前記デッドボルトが前記施錠位置のときに、前記カム回動部材における前記デッドボルトとの突き合わせ部分と前記回動軸とが、前記デッドボルトのスライド方向で並ぶように配置されたことを特徴とする請求項３に記載の錠装置。
【請求項５】
前記デッドボルトのうち前記施錠位置で前記カム回動部材に突き合わされる部分には、前記カム回動部材の回動軌跡に対応した円弧面が形成されたことを特徴とする請求項３又は４に記載の錠装置。
【請求項６】
請求項２に記載の錠装置と、ドア枠に埋設されて、前記デッドボルトの没入先の空間を構成する係止ボックスとからなる錠セットであって、
前記係止ボックスは、前記ドア枠に固定されるアウターボックスと、前記アウターボックスの内側に上下動可能に収容されたスライダーと、前記スライダーに取り付けられて、前記デッドボルトの前記スリットに受容される被係止部材と、前記被係止部材が前記デッドボルトの前記スリットと対面するように前記スライダーを付勢する位置合わせ用付勢手段とを備えたことを特徴とする錠セット。
【発明の詳細な説明】
【技術分野】
【０００１】
本発明は、施錠するとボディからデッドボルトが突出してドアをロックすると共に、鎌部材がデッドボルトの突入先に係合する錠装置に関する。
【背景技術】
【０００２】
従来、この種の錠装置は、デッドボルトの側面に鎌部材をカム係合して備え、デッドボルトが施錠位置に移動するとこのデッドボルトに連動して鎌部材がデッドボルトの突入先に係合する構造になっていた（例えば、特許文献１参照）。
【０００３】
【特許文献１】特開平１０−３３１４９９号公報（段落［００１８］、第１図、第２図）
【発明の開示】
【発明が解決しようとする課題】
【０００４】
しかしながら、上述した従来の錠装置の没入規制レバーは、ドアの隙間からバール等の工具を挿入してデッドボルトを没入側に付勢に押圧する行為が行われると、デッドボルトに連動して鎌部材の係合が解除されてしまうので、防犯機能が十分ではなかった。
【０００５】
本発明は、上記事情に鑑みてなされたもので、従来より防犯機能を向上させることが可能な錠装置の提供を目的とする。
【課題を解決するための手段】
【０００６】
上記目的を達成するためになされた請求項１の発明に係る錠装置は、ドアの端部に埋設されるボディに組み付けたデッドボルトが、ボディから突出してドアをロックする施錠位置と、ボディに没入してロックを解除する解錠位置との間でスライドする錠装置において、デッドボルトに回転可能に設けられ、デッドボルトが施錠位置にあるときにデッドボルトの突入先に設けた被係合部材に係合する一方、デッドボルトが解錠位置のときに被係合部材との係合を解除する鎌部材と、デッドボルトに回転可能に設けられ、デッドボルトが施錠位置にあるときに、鎌部材の回動領域に進入して鎌部材の回動を規制するラッチ回動規制部材と、ラッチ回動規制部材が鎌部材の回動領域に進入するように付勢するラッチ付勢手段と、操作によりラッチ回動規制部材を鎌部材の回動領域から退避させるように回動するためのラッチ解除操作部とを設けたところに特徴を有する。
【０００７】
請求項２の発明は、請求項１に記載の錠装置において、デッドボルトの先端に開放し、そのデッドボルトの突入先の空間を横切った被係合部材を受容するスリットと、鎌部材は、デッドボルトが施錠位置のときにはスリットにおける被係合部材より開放口側に突入する一方、デッドボルトが解錠位置のときには、スリットにおける被係合部材より開放口側から退避するように構成されたところに特徴を有する。
【０００８】
請求項３の発明は、請求項１又は２に記載の錠装置において、ボディに回動可能に設けられ、施錠位置のデッドボルトに突き合わされてデッドボルトのボディへの没入を規制すると共に、解錠操作により回動し、施錠位置のデッドボルトとの突き合わせが解除されかつデッドボルトの一部に摺接して、デッドボルトを解錠位置に没入させるカム回動部材を備え、ラッチ回動規制部材からカム回動部材の回動領域に向けて突出し、デッドボルトが解錠位置に移動する途中でカム回動部材に押されて、ラッチ回動規制部材を回動させる傾動レバーを備えたことにより、カム回動部材をラッチ解除操作部に兼用したところに特徴を有する。
【０００９】
請求項４の発明は、請求項３に記載の錠装置において、デッドボルトが施錠位置のときに、カム回動部材におけるデッドボルトとの突き合わせ部分と回動軸とが、デッドボルトのスライド方向で並ぶように配置されたところに特徴を有する。
【００１０】
請求項５の発明は、請求項３又は４に記載の錠装置において、デッドボルトのうち施錠位置でカム回動部材に突き合わされる部分には、カム回動部材の回動軌跡に対応した円弧面が形成されたところに特徴を有する。
【００１１】
請求項６の発明に係る錠セットは、請求項２に記載の錠装置と、ドア枠に埋設されて、デッドボルトの没入先の空間を構成する係止ボックスとからなる錠セットであって、係止ボックスは、ドア枠に固定されるアウターボックスと、アウターボックスの内側に上下動可能に収容されたスライダーと、スライダーに取り付けられて、デッドボルトのスリットに受容される被係止部材と、被係止部材がデッドボルトのスリットと対面するようにスライダーを付勢する位置合わせ用付勢手段とを備えたところに特徴を有する。
【発明の効果】
【００１２】
［請求項１の発明］
請求項１の錠装置では、デッドボルトが施錠位置にあるときに、被係合部材に係合した鎌部材の回動領域にラッチ回動規制部材が進入してその鎌部材の回動を規制するので、ラッチ解除操作部にてラッチ回動規制部材を回動しない限り、鎌部材と被係合部材との係合が解除されない。即ち、デッドボルトが解錠方向に押されても、鎌部材がデッドボルトに連動して作動することが防がれ、従来より防犯機能を向上させることができる。
【００１３】
［請求項２の発明］
請求項２の錠装置では、デッドボルトが施錠位置に移動したときに、そのデッドボルトに設けたスリット内に被係合部材が受容されると共に、鎌部材にてスリットの開放側が塞がれる。即ち、デッドボルトが施錠位置のときに、閉じた空間内に被係合部材が配置され、ドア全体が上下方向にずらされても被係合部材とデッドボルトとの係合が浅くならず、不正な解錠操作が防がれる。
【００１４】
［請求項３の発明］
請求項３の錠装置では、デッドボルトを解錠位置に移動するためにカム回動部材を回動すると、ラッチ回動規制部材から突出した傾動レバーがカム回動部材に押され、ラッチ回動規制部材が回動して鎌部材の回動領域から退避し、鎌部材と被係合部材との係合を解除することができるようになる。即ち、本発明よれば、正規に解錠操作を行う場合には、デッドボルトと鎌部材の両方のロックを一度に解除することができ、容易に正規の解錠操作を行うことができる。
【００１５】
［請求項４の発明］
請求項４の錠装置において、デッドボルトが施錠位置になると、カム回動部材におけるデッドボルトとの突き合わせ部分と回動軸とが、デッドボルトのスライド方向で並んだ状態になるので、デッドボルトが押し込まれたときにカム当接部にかかる力がカム回動部材の回動中心を向き、回転モーメントが発生しなくなり、カム回動部材によってデッドボルトの没入を規制した状態が保持され、デッドボルトの不正な没入操作を防ぐことができる。
【００１６】
［請求項５の発明］
請求項５の錠装置では、デッドボルトのうち施錠位置でカム回動部材に突き合わされる部分には、カム回動部材の回動軌跡に対応した円弧面が形成されているので、カム回動部材の回動軸とカム回動部材におけるデッドボルトとの突き合わせ部分との並び方向が、デッドボルトのスライド方向に対して多少斜めになっても、デッドボルトが押し込まれてカム回動部材にかかる力がカム回動部材の回動中心を向き、カム回動部材の回転が規制され、デッドボルトの不正な没入操作を防ぐことができる。
【００１７】
［請求項６の発明］
請求項６の錠セットでは、錠装置のデッドボルトを係止ボックスの被係止部材に係合させた状態で、ドア全体が上下にずらされてもそのドアと共に係止ボックスの被係止部材が上下動し、被係止部材の変形が防がれ、不正な解錠操作を防止することができる。
【発明を実施するための最良の形態】
【００１８】
［第１実施形態］
以下、本発明の一実施形態を図１〜図３に基づいて説明する。
図１において符合９０で示したドアは、図示しないヒンジにてドア枠９１の図示しない一辺に回動可能に取り付けられている。そして、ドア９０のうちヒンジと反対側の端部に本発明に係る錠装置１０が埋設されている。また、ドア枠９１のうち錠装置１０との対向部分には、係合ボックス１１が埋設されている。
【００１９】
係合ボックス１１は、錠装置１０との対向面が開放した箱形をなし、係合ボックス１１の内部のうち開放口寄り位置を水平方向に横切るようにして係合ピン１２（本発明の「被係合部材」に相当する）が設けられている。
【００２０】
錠装置１０は、図１に示すように、ドア９０に埋設されたボディ１３に種々の部品を組み付けてなる。ボディ１３は、扁平な箱形をなし、その前端壁１４から延長された突片１５，１５をドア９０の端面にねじ止めして錠装置１０がドア９０に固定されている。ボディ１３の前端壁１４に貫通形成された挿抜孔１６には、筒形をなしたデッドボルト１７が挿通されている。デッドボルト１７の上縁部からは両側方に向けて突壁２０が延設されている。また、ボディ１３の両側壁１３Ａには、１対のガイド突条２１，２１が上下に並べて形成され、これらガイド突条２１，２１の間に突壁２０がスライド係合している。これにより、デッドボルト１７は、ボディ１３の前端壁１４から突出して係合ボックス１１内に突入した施錠位置（図１参照）と、デッドボルト１７が係合ボックス１１から退避してボディ１３内に没入した解錠位置（図２参照）との間でスライドする。
【００２１】
デッドボルト１７の両側壁１９，１９のうち係合ボックス１１に突入する先端部には、デッドボルト１７のスライド方向の前方に開放したスリット２２が形成されており、図１に示すようにデッドボルト１７が施錠位置になると、スリット２２内に係合ピン１２が受容される。
【００２２】
デッドボルト１７の内部には、鎌部材６０が収容されている。鎌部材６０は、デッドボルト１７の両側壁１９，１９の間に差し渡した軸体６４によって回転可能に軸支されている。この軸体６４は、デッドボルト１７のうちスリット２２より後方上側（図１の右上側）に配置されている。また、鎌部材６０は、捻りコイルばね６６によって一方側（図１及び図２の時計周り方向）に付勢され、デッドボルト１７が解錠位置では、図２に示すように鎌部材６０の前側の上面がデッドボルト１７の天井面に当接した位置に保持されている。
【００２３】
鎌部材６０のうち軸体６４より前側の延びた部分からは、下方に向けて１対のロック爪６１，６２が突出している。鎌部材６０の回動中心側のロック爪６２（以下、「第１ロック爪６２」という）は、デッドボルト１７が解錠位置では、図２に示すようにスリット２２内に配置され、回動中心から離れた側の前側のロック爪６１（以下、第２ロック爪６１という）は、スリット２２から上方に退避している。そして、デッドボルト１７が施錠位置に移動する過程で、第１ロック爪６２が係合ピン１２によってスリット２２の奥側に押し込まれ、これにより鎌部材６０が捻りコイルばね６６に抗して回動する。この結果、デッドボルト１７が施錠位置では、第２ロック爪６１がスリット２２内に突入して、スリット２２の開放口を塞いた状態になる。
【００２４】
鎌部材６０には、軸体６４から後方に向けて回動片６５が張り出されている。この回動片６５は、デッドボルト１７が解錠位置では、図２に示すように水平方向を向いている。そして、鎌部材６０が捻りコイルばね６６に抗し、第２ロック爪６１がスリット２２内に突入した状態になると、図１に示すように回動片６５が軸体６４から斜め上方に延びた状態になる。
【００２５】
鎌部材６０の軸体６４より右下側には、デッドボルト１７の両側壁１９，１９の間に軸体７１が差し渡されている。そして、この軸体７１にラッチ回動規制部材７０が回転可能に軸支されている。ラッチ回動規制部材７０には、鎌部材６０における回動片６５の回動領域に向けてストッパ片７３が突出している。また、ラッチ回動規制部材７０には軸体７１から後方に向けて傾動レバー７４が延びている。さらに、ラッチ回動規制部材７０は、捻りコイルばね７２（本発明の「ラッチ付勢手段」に相当する）によって鎌部材６０と逆向きの他方側（図１及び図２の反時計周り方向）に付勢されており、デッドボルト１７が施錠位置では、図１に示すように傾動レバー７４が水平方向を向きかつ、ストッパ片７３が回動片６５の回動領域に突入して鎌部材６０の回動を規制した状態なる。そして、傾動レバー７４を押し下げることで、捻りコイルばね７２に抗してラッチ回動規制部材７０が回動すると、図２に示すようにストッパ片７３が回動片６５の回動領域から退避して、鎌部材６０の回動を許容した状態になる。
【００２６】
デッドボルト１７のうちボディ１３への没入側を向いた後端面には、上側部分から後方に向かって位置決壁４１が突出形成されると共に、下側部分から下方に向かって延長壁４２が延びている。また、一方の側壁１９における延長壁４２の下端部からは、前記したフック片４０が後方に延設され、そのフック片４０の先端側が垂直上方に立ち上がっている。これら位置決壁４１、延長壁４２、フック片４０に囲まれた部分がカム部２９となっており、このカム部２９のうち延長壁４２の後端縁と位置決壁４１の下端縁とがなす角部は、施錠係合部４３となっており、フック片４０の底部は解錠係合部４４となっている。
【００２７】
ボディ１３のうちデッドボルト１７の没入先には、カム回動部材３０が設けられている。カム回動部材３０は、板金を屈曲して形成され、ボディ１３の側壁１３Ａに対向した１対の帯板３０Ａ，３０Ａの間を底壁３０Ｂで繋げた構造になっている。そして、帯板３０Ａ，３０Ａを貫通した軸体３１が、ボディ１３の両側壁１３Ａ，１３Ａ間に貫通させて固定されている。この軸体３１は、デッドボルト１７における施錠係合部４３に対し、デッドボルト１７のスライド方向の後方に配置され、この軸体３１を中心にてカム回動部材３０が水平姿勢と垂直姿勢との間で回動する。
【００２８】
カム回動部材３０のうち長手方向の一端には、帯板３０Ａ，３０Ａの間に当接カムピン３２（本発明に係る「カム回動部材におけるデッドボルトとの突き合わせ部分」に相当する）が差し渡されている。また、図３に示すように、当接カムピン３２のうち帯板３０Ａ，３０Ａの間に挟まれた部分には、筒状の摺動メタル３３が嵌合されている。デッドボルト１７が施錠位置にあるときには、カム回動部材３０は水平姿勢になって当接カムピン３２が施錠係合部４３に係合し、その当接カムピン３２に下側からラッチ回動規制部材７０における傾動レバー７４が押し付けられている。ここで、当接カムピン３２が下方に向かうようにカム回動部材３０が回動されると、その当接カムピン３２に傾動レバー７４が押し下げられてラッチ回動規制部材７０も回動し、ラッチ回動規制部材７０のストッパ片７３が鎌部材６０における回動片６５の回動領域から退避する。そして、デッドボルト１７が当接カムピン３２によってボディ１３に没入するように引き込まれ、デッドボルト１７が解錠位置になると、図２に示すようにカム回動部材３０が垂直姿勢になって当接カムピン３２が解錠係合部４４に係合する。
【００２９】
カム回動部材３０の上方には、回転アーム５０が設けられている。回転アーム５０は、平板部材の中心部から側方に筒体５２を起立させた構造をなし、その筒体５２の内側にはキー操作軸５１が嵌合されている。また、キー操作軸５１は、ドア９０の外面に固定された図示しないキーシリンダーに結合されており、図示しない鍵をキーシリンダーに差し込んで回動操作するキー操作により、キー操作軸５１と共に回転アーム５０が回動する。さらに、回転アーム５０の一端部とカム回動部材３０の後端部との間はリンク５３にて連結されており、これによりカム回動部材３０が回転アーム５０に連動回転する。また、回転アーム５０の他端部には、捻りコイルばね５６の一端が取り付けられている。捻りコイルばね５６の他端は、ボディ１３のうち回転アーム５０の回動中心に対して、水平方向で横並びの位置に設けた固定軸５７に係合されている。これにより、回転アーム５０が水平方向を向いたときに、捻りコイルばね５６の両端部が最も接近して弾発力が発揮され、回転アーム５０が水平方向に対して、何れかの斜め方向を向くように付勢される。
【００３０】
次に、上記構成からなる本実施形態の錠装置１０の動作を説明する。
錠装置１０を施錠するには、ドア９０を閉じた状態にして、キー操作にて回転アーム５０を図２における時計回り方向に回動させる。すると、カム回動部材３０が垂直姿勢から水平姿勢に変わり、この過程で、当接カムピン３２がデッドボルト１７のカム部２９を前方に移動する。また、このとき、ラッチ回動規制部材７０の傾動レバー７４が当接カムピン３２に追従するようにして、ラッチ回動規制部材７０が捻りコイルばね７２の弾発力によって回動する。
【００３１】
デッドボルト１７が前方に移動することで、図１に示すようにデッドボルト１７の先端が、ドア枠９１に備えた係合ボックス１１の内部に突入しかつ、デッドボルト１７の先端のスリット２２に係合ピン１２が受容される。すると、第１ロック爪６２が係合ピン１２によってスリット２２の奥側に押し込まれ、これにより鎌部材６０が回動し、第２ロック爪６１がスリット２２の開放口側に突入する。
【００３２】
さらに回転アーム５０の回動が進むと、デッドボルト１７がさらにスライドして施錠位置に至ると共に、このスライドに連動して、鎌部材６０の第２ロック爪６１がスリット２２の開放口側を塞ぎ、係合ピン１２をスリット２２内に保持した状態（即ち、鎌部材６０が係合ピン１２に係合した状態）になる。
【００３３】
回転アーム５０を最後まで回動させると、当接カムピン３２が施錠係合部４３の円弧面４３Ａに摺接し、このときデッドボルト１７及び鎌部材６０は停止した状態でカム回動部材３０とラッチ回動規制部材７０が若干回転する。そして、ラッチ回動規制部材７０のストッパ片７３が、鎌部材６０のうち回動片６５の回動領域に突入し、図１に示すように回動片６５の回動を規制した状態になる。また、当接カムピン３２はデッドボルト１７における位置決壁４１の下辺に当接してデッドボルト１７の解錠係合部４４に位置決めされる。以上により錠装置１０が施錠される。
【００３４】
さて、錠装置１０の施錠状態でドア９０とドア枠９１との間に例えばバールを挿入して、デッドボルト１７を没入方向に押し込む不正行為が行われた場合は、以下のようである。即ち、本実施形態の錠装置１０では、鎌部材６０における回動片６５の回動領域にラッチ回動規制部材７０のストッパ片７３が進入してその鎌部材６０の回動を規制しているので、仮に、デッドボルト１７が没入方向に若干押し込まれたとしても、カム回動部材３０にてラッチ回動規制部材７０を回動しない限り、鎌部材６０がデッドボルト１７に連動することはなく、鎌部材６０と係合ピン１２との係合が不正に解除されることはない。
【００３５】
なお、デッドボルト１７に設けたスリット２２内に係合ピン１２を受容して、そのスリット２２の開放口を鎌部材６０にて塞ぎ、係合ピン１２が閉じた空間内に配置したので、ドア９０全体が上下方向にずらされても、係合ピン１２とデッドボルト１７との係合が浅くならず、不正な解錠操作が防がれる。
【００３６】
また、本実施形態の錠装置１０では、デッドボルト１７が施錠位置になると、カム回動部材３０の当接カムピン３２と軸体３１とが、デッドボルト１７のスライド方向で並んだ状態になって、その当接カムピン３２がデッドボルト１７の端面に突き合わされるので、デッドボルト１７が押し込まれたときに当接カムピン３２にかかる力がカム回動部材３０の回動中心を向き、回転モーメントが発生しない。しかも、デッドボルト１７のうち施錠位置で当接カムピン３２に当接する部分には、カム回動部材３０を回転したときの当接カムピン３２の回動軌跡に対応した円弧面４３Ａが形成されているので、当接カムピン３２とカム回動部材３０の軸体３１との並び方向が、デッドボルト１７のスライド方向に対して多少斜めになっても、デッドボルト１７が押し込まれたときの力がカム回動部材３０の回動中心を向き、カム回動部材３０の回転が規制されて確実にデッドボルト１７の没入を防ぐことができる。
【００３７】
ところで、錠装置１０を解錠するときには、図示しないキーシリンダーに挿入したキーを操作することで、回転アーム５０を図１における反時計回り方向に回動させる。すると、カム回動部材３０が水平姿勢から垂直姿勢に変わる（図２参照）。その過程で、当接カムピン３２がデッドボルト１７のカム部２９（詳細には、フック片４０）を後方に引っ張り、デッドボルト１７がボディ１３の奥部に引き込まれると共に、当接カムピン３２によってラッチ回動規制部材７０の傾動レバー７４が押し下げられてラッチ回動規制部材７０も回動し、ラッチ回動規制部材７０のストッパ片７３が鎌部材６０における回動片６５の回動領域から退避する。そして、鎌部材６０が捻りコイルばね６６の弾発力にて回動し、係合ピン１２との係合が解除され、デッドボルト１７がボディ１３内に没入して、ドア９０を開閉操作することができるようになる。
【００３８】
このように本実施形態の錠装置１０では、デッドボルト１７が施錠位置にあるときに、係合ピン１２に係合した鎌部材６０の回動領域にラッチ回動規制部材７０が進入してその鎌部材６０の回動を規制するので、カム回動部材３０にてラッチ回動規制部材７０を回動しない限り、鎌部材６０と係合ピン１２との係合が解除されない。即ち、デッドボルト１７が解錠方向に押されても、鎌部材６０がデッドボルト１７に連動して作動することが防がれ、従来より防犯機能を向上させることができる。また、正規に解錠操作を行う場合には、デッドボルト１７と鎌部材６０の両方のロックを一度に解除することができ、容易に正規の解錠操作を行うことができる。
【００３９】
［第２実施形態］
本実施形態は、図４〜図７に示されており、係止ボックスの構成のみが前記第１実施形態と異なる。本実施形態の係止ボックス８０は、ドア枠９１に埋設されるアウターボックス８１の内側に上下スライダー８２を備え、その上下スライダー８２に前記した係止ピン１２を含む前後スライダー９２を取り付けた構造なっている。アウターボックス８１は、錠装置１０と対面する前面側が開放した箱形をなし、その前面における上下の縁部から上下方向に取付片８１Ａ，８１Ａが張り出した構造になっている。また、アウターボックス８１の底面からは、その底面の一部を突片状に切り欠いてなるバネ係止壁８３が直立している。このバネ係止壁８３には、その一部を後方に陥没させてバネ収容部８４が形成されている。
【００４０】
上下スライダー８２は、アウターボックス８１の両側壁に敷設される１対の対向壁８５，８５を前面壁８６及び後面壁８７によって繋げた構造になっている。両対向壁８５，８５のうち上端寄り位置には、大長孔９９Ａと小長孔９９Ｂとがデッドボルト１７の進退方向に並べて形成されている。また、前面壁８６は、両対向壁８５，８５に挟まれた空間の前面下端側に配置される一方、後面壁８７は、後面下端側に配置されている。さらに、前面壁８６には、前記アウターボックス８１のバネ収容部８４に対応したバネ収容孔８８が形成されている。
【００４１】
上下スライダー８２は、前面壁８６をアウターボックス８１におけるバネ係止壁８３の前方に配置した状態でアウターボックス８１内に収容されている。そして、上下スライダー８２のバネ収容孔８８とアウターボックス８１のバネ収容部８４とが重ね合わされ、この内部に圧縮コイルバネ９６（本発明の「位置合わせ用付勢手段」に相当する）が収容されている。
【００４２】
アウターボックス８１の前面には、前面板９５が取り付けられている。前面板９５には矩形窓９５Ｗが形成され、矩形窓９５Ｗの下縁部が上下スライダー８２の前面壁８６の前方に重ねられている。これにより、圧縮コイルバネ９６が、バネ収容孔８８及びバネ収容部８４から離脱しないように保持されている。そして、上下スライダー８２が上方に移動した場合（図７参照）、及び、上下スライダー８２が下方に移動した場合（図６参照）に、後面壁８７が圧縮変形される。これにより、上下スライダー８２は上下動可能なストロークの中間位置に付勢されている。
【００４３】
上下スライダー８２の内側には、前後スライダー９２が収容されている。前後スライダー９２は、コ字形のベース部材９２Ｂの両先端間に係止ピン１２を差し渡した構造になっている。また、ベース部材９２Ｂの両側面における一端側には、係止ピン１２が貫通し、その両端部がベース部材９２Ｂの一端部から側方に突出している。また、ベース部材９２Ｂの他端部からはスライド用突部９４が突出している。そして、係止ピン１２の両端部を前記アウターボックス８１の大長孔９９Ａ内に嵌合すると共に、スライド用突部９４を小長孔９９Ｂに嵌合し、前後スライダー９２全体が上下スライダー８２に対して前後動可能となっている。また、図５に示すように前後スライダー９２の後端面とアウターボックス８１の後面壁８７との間には圧縮コイルバネ９７が突っ張り状態にして収容され、これにより上下スライダー８２が前方に向けて付勢されている。
【００４４】
なお、前後スライダー９２の後端面とアウターボックス８１の後面壁８７とには、圧縮コイルバネ９７の端部を係止するためのエンボス８２Ｅ，９２Ｅがそれぞれ形成されている。
【００４５】
本実施形態の構成によれば、図５に示すようにデッドボルト１７を係止ボックス８０内に突入させると、係止ピン１２がデッドボルト１７におけるスリット２２の奥部に押し付けられて確実に係合する。そして、図６に示すようにデッドボルト１７に係止ピン１２が係合した状態で、ドア９０全体が下方にずらされた場合、あるいは、図７に示すように、ドア９０全体が上方にずらされた場合、そのドア９０と共に係止ボックス８０における係止ピン１２が上下にスライドするので、ドア全体を上下にずらことよる係止ピン１２の変形を防ぎ、不正な解錠操作を防止することができる。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、キー操作によって回動される回転アーム５０にカム回動部材３０が連動する構成であったが、キー操作によってカム回動部材自体を直接回動操作する構成にしてもよい。
【００４７】
（２）前記実施形態では、キー操作によって回転アーム５０及びカム回動部材３０を回動させる構成であったが、ドアの外面に設けられた摘み（サムターン）によって回転アーム及び／又はカム回動部材を回動させる構成にしてもよい。
【００４８】
（３）本発明に係る被係合部材としての係合ピン１２は、断面円形のピン形状になっていたが、必ずしもピン形状でなくてもよく、例えば板状であってもよい。
【００４９】
（４）前記実施形態では、鎌部材６０が係合ボックス１１内の空間を横切った係合ピン１２に係合する構成であったが、鎌部材が係合ボックスの開口縁に係合する構成にしてもよい。
【００５０】
（５）前記実施形態では、カム回動部材３０が鎌部材６０を回動させるための本発明に係る「ラッチ解除操作部」に兼用されていたが、鎌部材を回動操作する部位をカム回動部材とは別に設けた構成にしてもよい。
【図面の簡単な説明】
【００５１】
【図１】本発明の一実施形態に係る錠装置が施錠状態のときの側断面図
【図２】錠装置が解錠状態のときの側断面図
【図３】錠装置が施錠状態のときの平断面図
【図４】本発明の第２実施形態に係る係止ボックスの分解斜視図
【図５】施錠状態の係止ボックスの側断面図
【図６】ドアが下方にずらされた場合の係止ボックスの側断面図
【図７】ドアが上方にずらされた場合の係止ボックスの側断面図
【符号の説明】
【００５２】
１０    錠装置
１２    係合ピン（被係合部材）
１３    ボディ
１７    デッドボルト
３０    カム回動部材
３２    当接カムピン
４３Ａ  円弧面
６０    鎌部材
６１    第２ロック爪
６２    第１ロック爪
６５    回動片
７０    ラッチ回動規制部材
７２    捻りコイルばね（ラッチ付勢手段）
７３    ストッパ片
７４    傾動レバー
８０    係止ボックス
８１    アウターボックス
８２    上下スライダー
９０    ドア
９２    前後スライダー
９６    圧縮コイルバネ
【図１】
2005042513.tif 000003
【図２】
2005042513.tif 000004
【図３】
2005042513.tif 000005
【図４】
2005042513.tif 000006
【図５】
2005042513.tif 000007
【図６】
2005042513.tif 000008
【図７】
2005042513.tif 000009